(57)【特許請求の範囲】
【請求項１】
支柱の下部に足部を上部に天板を夫々設け、且つ前記足部と前記天板との間にごみ入れを着脱自在又は着脱不能に設けてなる試食台において、前記天板は、前記支柱上部に設けた支持具にて支持されると共に、前記支柱に回動自在に取り付けられて前記支持具から跳ね上げ可能とされ、前記支持具に他の試食台を積み上げられるようにしたことを特徴とする試食台。
【請求項２】
支柱の下部に足部を上部に天板を夫々設け、且つ前記足部と前記天板との間に中間棚を着脱自在又は着脱不能に設けてなる試食台において、前記天板は、前記支柱上部に設けた支持具にて支持されると共に、前記支柱に回動自在に取り付けられて前記支持具から跳ね上げ可能とされ、前記支持具に他の試食台を積み上げられるようにしたことを特徴とする試食台。
【請求項３】
請求項１又は２記載の支持具に取付部を予め設け、該取付部にスタンドを着脱自在に設け、該スタンドにトレー、トング等を設置可能としたことを特徴とする試食台。
【発明の詳細な説明】
【０００１】
【発明の属する技術分野】
本発明は、主にスーパーや百貨店等の食料品売り場における試食コーナーで使用される試食台に関する。
【０００２】
【従来の技術】
各食料品売り場における試食コーナーで使用される試食台は、(1) 有り合わせの小さな台に試食品を載せ、その横に試食品を取るための楊枝を置き、更に台の前や脇に有り合わせのごみ入れを置くか、(2) 上記の小さな台とごみ入れとをセットにした専用のものであるか、のいずれかである。(1) の試食台は、有り合わせのものを使用するため、費用がかからず、ときたま試食コーナーを開く場合には都合が良い。しかし、最近のように、新商品の発売が頻繁となり、客に試食をさせてその新商品を販売することが多い場合には、有り合わせのものを集めて試食台とすることが、できない状況となっている。
【０００３】
また、(2) の専用の試食台は、台やごみ入れ、更に付属の各部品を揃え、必要に応じて取り付けられるようになっていて、しかも規格化されているから、誠に都合が良いものである。そして、不必要時に倉庫等の保管場所にて試食台を横に並べて保管するか、上に載せる試食台を反転させて天板同士を重ね合わせ、２段積みにするかである。
【０００４】
【発明が解決しようとする課題】
上記(1) の試食台は、有り合わせのものを使用するため、見栄えを良くすることが難しく、試食台の見栄えが悪いために、新商品を試食した客は気分的にその新商品が美味しくないと、感じる割合が増加することが考えられ、何のための試食台であるか、と言う原点に戻ってしまう。更に、最近のように、新商品が次々発売される状況では、試食コーナーを常時しかも複数箇所で開くことになり、専用の試食台が必要になってくる。
【０００５】
一方、(2) の専用の試食台は、見栄え良く、付属の各部品も揃い、規格化されているから、誠に都合が良い。しかしながら、試食コーナーを常時開くとはいっても、試食コーナーが多い場合と少ない場合とがあり、少ない場合には専用の試食台は、倉庫等に保管しなければならない。しかし、現状では試食台を横に並べておくことになり、広い保管スペースが必要となる。積み上げ保管では、試食台の天板上に足部が載ることになり、衛生的でなく、それを避けるには試食台の天板同士を重ね合わせ２段積みとする他なく、面倒であるし、２段しか積み上げ保管ができない。
【０００６】
従って、本発明の目的は、狭い場所に衛生的に保管をすることができ、しかも見栄えが良く、付属の各部品も手際よく揃えることができる試食台を提供する。
【０００７】
【課題を解決するための手段】
かかる状況において、本発明者は、鋭意検討を行った結果、天板を支柱上部に設けた支持具にて支持すると共に、支柱に回動自在に取り付けて支持具から跳ね上げ可能とし、その支持具に他の試食台の足部を積み上げれば、天板に他の試食台の足部が接触しないから、衛生的であり且つ何段でも積み上げ可能であることを見い出し、本発明を完成するに至った。
【０００８】
すなわち、本請求項１に係る発明は、支柱の下部に足部を上部に天板を夫々設け、且つ前記足部と前記天板との間にごみ入れを着脱自在又は着脱不能に設けてなる試食台において、前記天板は、前記支柱上部に設けた支持具にて支持されると共に、前記支柱に回動自在に取り付けられて前記支持具から跳ね上げ可能とされ、前記支持具に他の試食台を積み上げられるようにしたことを特徴とする試食台を提供するものである。かかる構成を採ることにより、支持具から天板を跳ね上げ支柱に吊り下げ、支持具上に足部を載せることで、他の試食台を何段でも積み上げることができる。
【０００９】
また、本請求項２に係る発明は、支柱の下部に足部を上部に天板を夫々設け、且つ前記足部と前記天板との間に中間棚を着脱自在又は着脱不能に設けてなる試食台において、前記天板は、前記支柱上部に設けた支持具にて支持されると共に、前記支柱に回動自在に取り付けられて前記支持具から跳ね上げ可能とされ、前記支持具に他の試食台を積み上げられるようにしたことを特徴とする試食台を提供するものである。かかる構成を採ることにより、前記発明と同様の効果を奏する他、試食品が多い場合や箸やペーパーなど付属品を載置したい場合などに都合がよい。
【００１０】
また、本請求項３に係る発明は、上記した支持具に取付部を予め設け、該取付部にスタンドを着脱自在に設け、該スタンドにトレー、トング等を設置可能としたことを特徴とする試食台を提供するものである。かかる構成を採ることにより、上記機能に加え、取付部にスタンドを取り付ければ、試食に必要なトレー、トング等の什器を集約して設置できる。
【００１１】
【発明の実施の形態】
以下、本発明の実施の形態における試食台について、図１〜１０に基づいて詳述する。図１は本発明の実施の形態である試食台の使用状態を示す側面図、図２は本発明の実施の形態である試食台を示す正面図、図３は本発明の実施の形態である試食台を示す平面図である。図において、試食台１は、支柱２の下部に足部３を上部に天板４を夫々設け、且つ足部３と天板４との間にごみ入れ５を設けてなり、その天板４は、支柱２上部に設けた支持具６にて支持されると共に、支柱２に回動自在に取り付けられて支持具６から跳ね上げ可能とされ、支持具６上に他の試食台１ａ（図５に示す）を積み上げられるようにしたものである。
【００１２】
前記支柱２は、２本の主パイプ１０の中間位置よりやや上にクロスバー１１が渡され、その下端は前記足部３に固着し、その上端は前記支持具６に固着し、更に、この支持具６を支える補強パイプ１２を主パイプ１０の上部に受け、そして、前記天板４の回動軸１３ａ及び前記ごみ入れ５の吊り金具１３ｂを兼ねる軸・吊り金具１３を主パイプ１０の上部に取り付けていることで、構成している。上記した支持具６は、パイプを矩形に曲げ加工したものであり、その上に他の試食台１ａを積み上げ可能な形状になっている。
【００１３】
前記天板４は、矩形のお盆状をなし、表面の縁壁１４近くに楊枝入れを安定化させるための丸凹部１５が設けられ、更に縁壁１４に水抜き１６が設けられ、この水抜き１６に対向する縁壁１４には弓状凹部１７が設けられ、試食物を取るときに縁壁１４に当たりずらくしている。そして、天板４の裏面には、図４に示すように、３連のネジ穴１８が設けられ、両端のネジ穴１８に軸受け金具１９が螺着され、この軸受け金具１９に上記した軸・吊り金具１３の回転軸１３ａを掛け、更に真ん中のネジ穴１８に固定金具２０が軸受け金具１９を介して螺着されることで、天板４は支柱２に回動自在に取り付けられることになる。従って、軸・吊り金具１３の回転軸１３ａを中心として、支持具６上に載っている天板４を跳ね上げ、支柱２の後方側へ吊り下げるようにすれば、支持具６上に他の試食台１ａを積み上げることができ、足部３と天板４とは接触する機会が無くなる。
【００１４】
前記足部３は、ペンギンの足のようなコ字状の平板をなして、試食台１の安定した自立を確保し、しかも意匠的にも優れたものとなっている。
【００１５】
前記ごみ入れ５は、足部３と天板４下の支持具６の間に位置して、軸・吊り金具１３の吊り金具１３ｂに吊り下げられ、着脱が自在である。尚、ごみ入れ５は着脱が自在とせず、着脱不能、すなわち固定して設置してもよい。
【００１６】
次に上記構成になる試食台１の使用方法について詳述する。
まず、図５に示す積み上げられた状態で倉庫等に保管されている試食台１ａを下ろし、食料品売り場の試食コーナーに運び設置する。次に、軸・吊り金具１３の回転軸１３ａに吊り下げ状態にある天板４を跳ね戻し、支持具６上に載せる。そして、図６に示すように、試食品３０が載っている皿３１を天板４上に載せ、試食品３０を取る楊枝等の入った容器を皿３１のそばに置く。客は容器から取った楊枝等により試食品３０を食べ、楊枝等をごみ入れ５に捨てる。一方、試食が終了すると、軸・吊り金具１３の吊り金具１３ｂからごみ入れ５を取り外し、ゴミを捨て再び吊り金具１３ｂに掛ける。そして、支持具６から天板４を後方に向けて跳ね上げ、軸・吊り金具１３の回転軸１３ａに吊り下げ状態にし、倉庫等に保管されている試食台１の上に載せる。更に、他の売り場から試食台１（不図示）が戻された場合は、試食台１ａの上に順次載せてゆく。従って、試食台１や試食台１ａの天板４に、足部３や他の不衛生部分が触れることが無く、天板４の衛生状態が良好に保つことができる。
【００１７】
図７は本発明の他の実施の形態である試食台１Ａを示すものであり、この試食台１Ａと図１〜６に示す実施の形態との相違点は、前記支持具６に予め取付部３２を設けておき、該取付部３２にスタンド３３を着脱自在に設け、図８に示すように、スタンド３３にトレー３４、トング３５等の什器を設置可能とし、これら必要な什器を集約して設置できるようにした点にある。その他の構成、作用は図１〜６に示す実施の形態と同様なので、その説明を省略する。
【００１８】
図９は本発明の他の実施の形態である試食台１Ｂを示すものであり、この試食台１Ｂは、天板４のほぼ全体を覆うフード３６を天板４に設置し、ゴミや虫を防ぐものである。その他の構成、作用は図１〜６に示す実施の形態と全く同じである。
【００１９】
図１０は本発明の他の実施の形態である試食台１Ｃを示すものであり、この試食台１Ｃと図１〜６に示す実施の形態との相違点は、軸・吊り金具１３の吊り金具１３ｂからごみ入れ５を取り外し、その代わりに中間棚３７を前記支柱２の２本の主パイプ１０に渡されたクロスバー１１に取り付け、中間棚３７にも天板４と同様な役割を担わせたものでる。但し、ごみ入れ５が無いから、試食台１Ｃの横に別途ごみ入れを置くか、中間棚３７あるいは天板４上に小さなごみ入れを置くかする必要がある。その他の構成、作用は図１〜６に示す実施の形態と同様である。
【００２０】
以上、本発明の実施の形態を説明したが、具体的な構成はこれに限定されず、本発明の要旨を逸脱しない範囲での変更、追加は本発明の範囲内である。
【００２１】
【発明の効果】
以上詳述したように、請求項１の発明によれば、支持具から天板を跳ね上げ支柱に吊り下げ、支持具上に足部を載せることで、他の試食台を何段でも積み上げることができる。従って、天板上に足部を載せないから衛生的で、しかも反転しないで何段でも積み上げられるから、狭い場所でも多数の試食台を保管でき、作業も反転しない分楽であり、更に、試食台専用であるから見栄え良く作れ、付属の各部品も手際よく揃えることができる。
【００２２】
請求項２の発明によれば、前記発明と同様の効果を奏する他、試食品が多い場合や箸やペーパーなど付属品を載置したい場合などに都合がよい。請求項３の発明によれば、支持具に設けた取付部にスタンドを設ければ、そのスタンドに試食に必要なトレー、トング等の什器を集約して設置できる。従って、上記効果に加え、オプションとしてスタンドを設けることで、スタンドに見栄え良く且つ集約して各種什器を揃えることができる。
【図面の簡単な説明】
【図１】本発明の実施の形態である試食台の使用状態を示す側面図。
【図２】本発明の実施の形態である試食台を示す正面図。
【図３】本発明の実施の形態である試食台を示す平面図。
【図４】本発明の実施の形態である試食台を分解した状態を示す斜視図。
【図５】本発明の実施の形態である試食台を積み上げた状態を示す斜視図。
【図６】本発明の実施の形態である試食台の使用状態を示す斜視図。
【図７】本発明の他の実施の形態である試食台を示す正面図。
【図８】本発明の他の実施の形態である試食台を示す斜視図。
【図９】本発明の他の実施の形態である試食台を示す斜視図。
【図１０】本発明の他の実施の形態である試食台を示す側面図。
【符号の説明】
１、１ａ、１Ａ、１Ｂ、１Ｃ    試食台
２                      支柱
３                      足部
４                      天板
５                      ごみ入れ
６                      支持具
１０                    主パイプ
１１                    クロスバー
１２                    補強パイプ
１３                    軸・吊り金具
１３ａ                  回動軸
１３ｂ                  吊り金具
１４                    縁壁
１５                    丸凹部
１６                    水抜き
１７                    弓状凹部
１８                    ネジ穴
１９                    軸受け金具
２０                    固定金具
３０                    試食品
３１                    皿
３２                    取付部
３３                    スタンド
３４                    トレー
３５                    トング
３６                    フード
３７                    棚
【図１】
0004666424.tif 000002
【図２】
0004666424.tif 000003
【図３】
0004666424.tif 000004
【図４】
0004666424.tif 000005
【図５】
0004666424.tif 000006
【図６】
0004666424.tif 000007
【図７】
0004666424.tif 000008
【図８】
0004666424.tif 000009
【図９】
0004666424.tif 000010
【図１０】
0004666424.tif 000011